(57)【要約】  医薬品を患者が実際に服用したかどうかを追跡し記録することを可能にする。また、梱包された内包物の利用状況を追跡し記録することを可能にする。具体的には、内包物管理デバイスに、パッシブ型無線タグと、アンテナとを搭載する。パッシブ型無線タグは、内包物を梱包するための梱包容器上に配置され、読み取り装置からの電波による電磁誘導（非接触電力伝送）により起電し、電波を受発信して情報を送受信する。アンテナは、内包物が梱包容器から取り出される際に破断するように、梱包容器上の内包物を取り出すための領域（取り出し口）に配置され、パッシブ型無線タグに内包物の取り出しを通知するために使用される。このとき、内包物を取り出すための領域（取り出し口）の境界とアンテナとの間の隙間は、内包物の取り出し可能な最小の幅よりも小さくする。
2008117544.tif 000002
【特許請求の範囲】
【請求項１】
内包物を梱包するための梱包容器上に配置され、読み取り装置からの電波による電磁誘導（非接触電力伝送）により起電し、電波を受発信して情報を送受信するパッシブ型無線タグと、
前記内包物が前記梱包容器から取り出される際に破断するように、前記梱包容器上の前記内包物を取り出すための領域（取り出し口）に配置され、前記パッシブ型無線タグに前記内包物の取り出しを通知するためのアンテナと
を具備し、
前記内包物を取り出すための領域（取り出し口）の境界と前記アンテナとの間の隙間は、前記内包物の取り出し可能な最小の幅よりも小さい
内包物管理デバイス。
【請求項２】
請求の範囲１に記載の内包物管理デバイスであって、
前記読み取り装置は、破断によるアンテナの長さの変化に応じた周波数の変化に基づき、破断したアンテナに対応する内包物の位置を特定する
内包物管理デバイス。
【請求項３】
請求の範囲１に記載の内包物管理デバイスであって、
前記アンテナは、前記内包物と１対１で対応し、前記梱包容器に梱包された内包物毎に独立して個々に配置され、
独立した個々のアンテナは、それぞれ異なる周波数を利用する
内包物管理デバイス。
【請求項４】
請求の範囲１に記載の内包物管理デバイスであって、
前記アンテナは、前記梱包容器同士の連結箇所に配置され、前記梱包容器同士が切り離されると破断し、
前記パッシブ型無線タグは、破断によるアンテナの長さの変化に応じた周波数の変化に基づき、連結されている梱包容器の数を検出する
内包物管理デバイス。
【請求項５】
請求の範囲１に記載の内包物管理デバイスであって、
前記内包物を取り出すための領域（取り出し口）を封するように配置され、前記アンテナと密着し、開封時に前記アンテナを前記梱包容器から引き剥がす蓋
を更に具備する
内包物管理デバイス。
【請求項６】
内包物を梱包するための梱包容器と、
前記内包物と１対１で対応し、前記内包物に関する情報を含み、前記梱包容器上の前記内包物を取り出すための領域（取り出し口）を覆うように表示され、前記内包物が前記梱包容器から取り出される際に欠損する二次元バーコードと
を具備する
内包物管理デバイス。
【請求項７】
内包物を梱包するための梱包容器と、
前記内包物と１対１で対応し、前記内包物に関する情報を含み、前記梱包容器内で前記内包物により隠されるように表示され、前記内包物が前記梱包容器から取り出されると確認可能になる二次元バーコードと
を具備する
内包物管理デバイス。
【請求項８】
読み取り装置からの電波による電磁誘導（非接触電力伝送）により起電し、電波を受発信して情報を送受信するパッシブ型無線タグを、内包物を梱包するための梱包容器上に配置する無線タグ設置手段と、
前記内包物が前記梱包容器から取り出される際に破断し前記パッシブ型無線タグに前記内包物の取り出しを通知するアンテナを、前記梱包容器上の前記内包物を取り出すための領域（取り出し口）に、前記内包物を取り出すための領域（取り出し口）の境界と前記アンテナとの間の隙間が前記内包物の取り出し可能な最小の幅よりも小さくなるように配置するアンテナ設置手段と
を具備する
内包物管理デバイス製造装置。
【請求項９】
請求の範囲８に記載の内包物管理デバイスであって、
前記アンテナ設置手段は、前記アンテナを、前記内包物の大きさ又は形状に応じた範囲又は形状で、前記梱包容器上の前記内包物を取り出すための領域（取り出し口）に配置する
内包物管理デバイス製造装置。
【請求項１０】
請求の範囲８に記載の内包物管理デバイス製造装置であって、
前記アンテナ設置手段は、前記内包物と１対１で対応するように、前記アンテナを、前記梱包容器に梱包された内包物毎に独立して個々に配置する
内包物管理デバイス製造装置。
【請求項１１】
請求の範囲８乃至１０のいずれかに記載の内包物管理デバイス製造装置であって、
前記アンテナ設置手段は、前記アンテナを、前記梱包容器同士の連結箇所に配置する
内包物管理デバイス製造装置。
【請求項１２】
請求の範囲８乃至１１のいずれかに記載の内包物管理デバイス製造装置であって、
前記アンテナと密着し開封時に前記アンテナを前記梱包容器から引き剥がす蓋を、前記内包物を取り出すための領域（取り出し口）を封するように配置する梱包手段
を更に具備する
内包物管理デバイス製造装置。
【請求項１３】
梱包容器に内包物を梱包する梱包手段と、
前記内包物に関する情報を含み、前記内包物と１対１で対応する二次元バーコードを、前記梱包容器上の前記内包物を取り出すための領域（取り出し口）を覆うように表示するバーコード設置手段と
を具備する
内包物管理デバイス製造装置。
【請求項１４】
梱包容器に内包物を梱包する梱包手段と、
前記内包物に関する情報を含み、前記内包物と１対１で対応する二次元バーコードを、前記梱包容器内で前記内包物により隠され、前記内包物が前記梱包容器から取り出されると確認可能になるように表示するバーコード設置手段と
を具備する
内包物管理デバイス製造装置。
【請求項１５】
読み取り装置からの電波による電磁誘導（非接触電力伝送）により起電し、電波を受発信して情報を送受信するパッシブ型無線タグを、内包物を梱包するための梱包容器上に配置する工程と、
前記内包物が前記梱包容器から取り出される際に破断し前記パッシブ型無線タグに前記内包物の取り出しを通知するアンテナを、前記梱包容器上の前記内包物を取り出すための領域（取り出し口）に、前記内包物を取り出すための領域（取り出し口）の境界と前記アンテナとの間の隙間が前記内包物の取り出し可能な最小の幅よりも小さくなるように配置する工程と
を含む
内包物管理デバイス製造方法。
【請求項１６】
請求の範囲１５に記載の内包物管理デバイスであって、
前記アンテナを、前記内包物の大きさ又は形状に応じた範囲又は形状で、前記梱包容器上の前記内包物を取り出すための領域（取り出し口）に配置する工程
を更に含む
内包物管理デバイス製造方法。
【請求項１７】
請求の範囲１５に記載の内包物管理デバイス製造方法であって、
前記内包物と１対１で対応するように、前記アンテナを、前記梱包容器に梱包された内包物毎に独立して個々に配置する工程
を更に含む
内包物管理デバイス製造方法。
【請求項１８】
請求の範囲１５乃至１７のいずれかに記載の内包物管理デバイス製造方法であって、
前記アンテナを、前記梱包容器同士の連結箇所に配置する工程
を更に含む
内包物管理デバイス製造方法。
【請求項１９】
請求の範囲１５乃至１８のいずれかに記載の内包物管理デバイス製造装置であって、
前記アンテナと密着し開封時に前記アンテナを前記梱包容器から引き剥がす蓋を、前記内包物を取り出すための領域（取り出し口）を封するように配置する工程
を更に含む
内包物管理デバイス製造方法。
【請求項２０】
梱包容器に内包物を梱包する工程と、
前記内包物に関する情報を含み、前記内包物と１対１で対応する二次元バーコードを、前記梱包容器上の前記内包物を取り出すための領域（取り出し口）を覆うように表示する工程と
を含む
内包物管理デバイス製造方法。
【請求項２１】
梱包容器に内包物を梱包する工程と、
前記内包物に関する情報を含み、前記内包物と１対１で対応する二次元バーコードを、前記梱包容器内で前記内包物により隠され、前記内包物が前記梱包容器から取り出されると確認可能になるように表示する工程と
を含む
内包物管理デバイス製造方法。
【請求項２２】
梱包容器から内包物を取り出すための領域（取り出し口）に配置されたアンテナが、前記内包物が前記梱包容器から取り出される際に破断すると、前記梱包容器上のパッシブ型無線タグに前記内包物の取り出しを通知するステップと、
破断によるアンテナの長さの変化に応じた周波数の変化に基づき、破断したアンテナに対応する内包物の位置を特定するステップと
を含む
内包物管理方法。
【請求項２３】
請求の範囲２２に記載の内包物管理方法であって、
前記内包物と１対１で対応し、前記梱包容器に梱包された内包物毎に独立して個々に配置されたアンテナに、それぞれ異なる周波数で通信するステップと、
個々のアンテナの対応する周波数の違いに基づき、破断したアンテナに対応する内包物の位置を特定するステップと
を更に含む
内包物管理方法。
【請求項２４】
請求の範囲２２又は２３に記載の内包物管理方法であって、
周期的に前記パッシブ型無線タグを検出するステップと、
前記梱包容器の取り出しを検出するステップと、
前記梱包容器の復帰を検出するステップと、
前記梱包容器の復帰を検出した場合、前記パッシブ型無線タグと通信し、前記パッシブ型無線タグに格納された情報を取得し、前記梱包容器に梱包された内包物に関する所在を検出するステップと、
前記梱包容器に梱包された内包物の利用量を記録するステップと
を更に含む
内包物管理方法。
【請求項２５】
請求の範囲２４に記載の内包物管理方法であって、
前記パッシブ型無線タグから、前記内包物に応じた利用時間情報を取得するステップと、
利用時間情報と現在時刻とを照合するステップと、
利用時間前に利用者に警告を通知するステップと
を更に含む
内包物管理方法。
【請求項２６】
請求の範囲２４又は２５に記載の内包物管理方法であって、
前記パッシブ型無線タグから、前記内包物の利用数情報を取得するステップと、
利用数情報を集計した利用履歴情報に基づいて、将来利用すべき数量を、残り数量により算定するステップと
を更に含む
内包物管理方法。
【発明の詳細な説明】
【技術分野】
【０００１】
本発明は、内包物管理デバイスに関し、特に医薬品や食品の摂取状態を取得するための内包物管理デバイスに関する。なお、本出願は、日本出願番号２００７−０８４７０２に基づく優先権を主張するものであり、日本出願番号２００７−０８４７０２における開示内容は引用により本出願に組み込まれる。
【背景技術】
【０００２】
電子カルテ等を閲覧することで、医師がどんな薬を患者に処方したかを遡って管理できる。しかし、患者が本当に処方された薬を服用したかを管理する手段は存在しない。そのため、医療において投薬の効果と治療の関係を正確に導き出すことが難しかった。例えば、患者自身は服薬する意思がないにもかかわらず、医師にその意向を伝えることが十分出来ないために、無駄な投薬や治療行為が繰り返されるという場合がある。【０００３】
また、システムや機器を用いて服薬管理を行う場合、大掛かりな管理機器やシステムが必要であり、本来管理が必要とされる外来患者に対する情報管理は不可能であった。【０００４】
しかし、近年では、ＲＦ−ＩＤ（Ｒａｄｉｏ  Ｆｒｅｑｕｅｎｃｙ  Ｉｄｅｎｔｉｆｉｃａｔｉｏｎ）タグの高度化、微小化に伴い、様々な形でＲＦ−ＩＤタグを用いて服薬管理を行う手法が考えられている。【０００５】
関連する技術として、実用新案登録第３１２８６３４号公報にＲＦＩＤタグ（無線認証タグ）を備えた包装薬剤が開示されている。この関連技術では、小型のＲＦＩＤタグと、当該ＲＦＩＤタグに接合されたアンテナを包装薬剤に備えたものが提示されている。【０００６】
また、特開２００５−０１３４８８号公報に薬収納具及びこれを用いた薬服用管理システムが開示されている。この関連技術では、ＲＦ−ＩＤタグ及びアンテナが取り付けられた梱包容器が提示されている。【０００７】
また、特開２００６−０５９０７２号公報に開封通知機能を具えたＲＦＩＤタグ付き郵便システムが開示されている。この関連技術では、アンテナの有効長（有効な長さ）を前記ＲＦＩＤリーダーの発信する電波を受信するのに適した長さにする。【０００８】
また、特開２００６−２０３６３７号公報に無線タグ及び無線タグを用いた物品の管理方法が開示されている。この関連技術では、アンテナの対応周波数帯を変更する。また、無線タグが固定部と切除可能部からなるアンテナ部を有する。【０００９】
また、特開２００６−２５９９３９号公報に医薬品管理システムが開示されている。この関連技術では、利用者は、ＲＦ−ＩＤタグ付き医薬品等及び利用者情報を記録したＲＦ−ＩＤタグ搭載利用者ＩＤカードが収容されたＲＦ−ＩＤタグ用質問器搭載救急箱に有線等にて携帯端末を接続する。携帯端末は、ＲＦ−ＩＤタグ用質問器搭載医薬品箱が収納するＲＦ−ＩＤタグ付き医薬品等及びＲＦ−ＩＤタグ搭載利用者ＩＤカードを自動認識後にインターネットを介して、サーバーシステムに自動認識結果を送信する。【００１０】
また、特表２００４−５０３２７１号公報に薬剤送達管理システムが開示されている。この関連技術では、製薬薬剤の送達を管理するシステムは、格子状に配置された複数のセルを有するブリスターパッケージを備える。各セルは、破断可能壁、及び各破断可能壁に最も近い位置に置かれた切断可能導線によって密閉される。コンピュータチップは、各切断可能導線の破断をそれぞれ監視することによって、格子状に配置された各セルに穴があいたことを検出する。ＲＦ送信機は、コンピュータチップと結合されており、ブリスターパッケージに保管されている各薬剤の使用状況に関する情報をリモートトランシーバに送信する。
【発明の開示】
【００１１】
本発明の目的は、梱包容器上に配置された部材の状態を確認することにより、梱包容器に梱包された内包物の取り出しを検出することを可能にする内包物管理デバイスを提供することである。
【００１２】
本発明の内包物管理デバイスは、パッシブ型無線タグ（ｐａｓｓｉｖｅ  ｔａｇ）と、アンテナとを具備する。パッシブ型無線タグは、内包物を梱包するための梱包容器上に配置され、読み取り装置からの電波による電磁誘導（非接触電力伝送）により起電し、電波を受発信して情報を送受信する。アンテナは、内包物が梱包容器から取り出される際に破断するように、梱包容器上の内包物を取り出すための領域（取り出し口）に配置され、パッシブ型無線タグに内包物の取り出しを通知する。内包物を取り出すための領域（取り出し口）の境界とアンテナとの間の隙間は、内包物の取り出し可能な最小の幅よりも小さい。
【００１３】
本発明の他の内包物管理デバイスは、内包物を梱包するための梱包容器と、次のような二次元バーコードとを具備する。この二次元バーコードは、内包物と１対１で対応し、内包物に関する情報を含み、梱包容器上の内包物を取り出すための領域（取り出し口）を覆うように表示され、内包物が梱包容器から取り出される際に欠損する。
【００１４】
本発明の更に他の内包物管理デバイスは、内包物を梱包するための梱包容器と、次のような二次元バーコードとを具備する。この二次元バーコードは、内包物と１対１で対応し、内包物に関する情報を含み、梱包容器内で内包物により隠されるように表示され、内包物が梱包容器から取り出されると確認可能になる。
【００１５】
本発明の内包物管理デバイス製造装置は、無線タグ設置部と、アンテナ設置部とを具備する。無線タグ設置部は、読み取り装置からの電波による電磁誘導（非接触電力伝送）により起電し、電波を受発信して情報を送受信するパッシブ型無線タグを、内包物を梱包するための梱包容器上に配置する。アンテナ設置部は、内包物が梱包容器から取り出される際に破断しパッシブ型無線タグに内包物の取り出しを通知するアンテナを、梱包容器上の内包物を取り出すための領域（取り出し口）に、内包物を取り出すための領域（取り出し口）の境界とアンテナとの間の隙間が内包物の取り出し可能な最小の幅よりも小さくなるように配置する。
【００１６】
本発明の他の内包物管理デバイス製造装置は、梱包容器に内包物を梱包する梱包部と、次のようなバーコード設置部とを具備する。このバーコード設置部は、内包物に関する情報を含み、内包物と１対１で対応する二次元バーコードを、梱包容器上の内包物を取り出すための領域（取り出し口）を覆うように表示する。
【００１７】
本発明の更に他の内包物管理デバイス製造装置は、梱包容器に内包物を梱包する梱包部と、次のようなバーコード設置部とを具備する。このバーコード設置部は、内包物に関する情報を含み、内包物と１対１で対応する二次元バーコードを、梱包容器内で内包物により隠され、内包物が梱包容器から取り出されると確認可能になるように表示する。
【００１８】
このようにして、内包物管理デバイス内のものを管理する管理者が、その使用者が実際に開封して使用したかどうかを追跡、記録することを実現する。
【図面の簡単な説明】
【００１９】
【図１】図１は、本発明の内包物管理デバイス（梱包容器）の例を示す図である。
【図２】図２は、アンテナの形状の第１の例を示す図である。
【図３】図３は、アンテナの形状の第２の例を示す図である。
【図４】図４は、アンテナの形状の第３の例を示す図である。
【図５】図５は、本発明の第１の内包物管理システムの構成を示す概要図である。
【図６】図６は、内包物の利用状態を管理する場合の動作を示すフローチャートである。
【図７】図７は、内包物の利用を支援する場合の動作を示すフローチャートである。
【図８】図８は、次回利用数の算定を行う場合の動作を示すフローチャートである。
【図９】図９は、内包物管理システムにおけるデータの流れを示すシーケンス図である。
【図１０】図１０は、本発明の第２の内包物管理システムの構成を示す概要図である。
【図１１】図１１は、梱包装置（製造装置）の構成を示すブロック図である。
【発明を実施するための最良の形態】
【００２０】
以下に、本発明の第１実施形態について添付図面を参照して説明する。
図１に詳細な梱包方法例を示す。ここでは、（ａ）医薬品ＰＴＰ（Ｐｒｅｓｓ  Ｔｈｒｏｕｇｈ  Ｐａｃｋａｇｅ）シート用服薬管理ＲＦ−ＩＤタグと、（ｂ）医薬品分包袋用服薬管理ＲＦ−ＩＤタグを例に示す。【００２１】
図１に示すように、本発明に係る内包物管理デバイス１０は、無線タグ１１と、アンテナ１２を備える。【００２２】
内包物管理デバイス１０は、ＲＦ−ＩＤを用いて安価な服薬摂取の管理が可能な医薬品や食品といった内包物の梱包容器である。ＲＦ−ＩＤ内には薬剤や食品の製造日、内包物詳細情報、製造者情報、保存記録等を読み込み専用や読み込み／書き込み可能状態で記録することができる。なお、薬剤や食品には、医薬品に限らず、調味料、菓子類、サプリメント等を含むものとする。【００２３】
この梱包容器に関しての特徴は、以下の通りである。
（１）１チップで複数の錠剤を管理できる。
（２）梱包容器を切り離したかどうか管理できる。
（３）梱包容器同士が隣に何個連結されているか管理できる。【００２４】
無線タグ１１は、電磁誘導（非接触電力伝送）により起電するパッシブタイプ（パッシブ型）のＲＦ−ＩＤタグ（ｐａｓｓｉｖｅ  ｔａｇ）である。一般的に、アクティブタイプのＲＦ−ＩＤタグに比べ、パッシブタイプのＲＦ−ＩＤタグは、自らは電源を持たず、ＲＦ−ＩＤリーダー／ライターのアンテナが放つ電波で電磁誘導を用いるため、小型で安価であり、電池切れの心配が無く、家庭向け（外来患者）用途に向いている。なお、無線タグ１１は、内包物管理デバイス１０（梱包容器）に固有のＩＤ（識別情報）を有していることが好適である。このＩＤ（識別情報）は、梱包された内包物を服用する患者のＩＤ（識別情報）を含むようにしても良い。これにより、どの利用者（患者）がどの内包物（薬剤や食品）を使用（服用）したかを把握することが可能となる。【００２５】
アンテナ１２は、無線タグ１１と電気的に接続され、梱包された内包物の取り出しを確認するため、梱包容器の表面又は周囲に張り巡らされている。このとき、アンテナ１２は、内包物を梱包しているカバーの内側に配置されていても良い。アンテナ１２は、少なくとも梱包容器の開封領域（取り出し口）に配置されている。無線タグ１１は、破断等によるアンテナ１２の有効長の変化に応じた周波数の変化によって内包物の取り出された箇所を特定する。内包物の取り出しを確認する場合、内包物を梱包しているカバーが破損しただけでは意図的な開封と判断することが難しいため、内包物の大きさや形状に対応したアンテナの形状や幅（範囲）の設定が重要である。アンテナ１２の形状の例としては、十字や×字、又は格子状等の形状が考えられる。但し、実際には、これらの例に限定されない。例えば、アンテナ１２を梱包容器の模様や装飾のように配置したり、アンテナ１２をキャラクターの図柄や企業のロゴを模した形状で配置したりすることが考えられる。また、アンテナ１２が破断されることなく内包物が取り出されることがないように、梱包容器の開封領域（取り出し口）とアンテナ１２との間の隙間は、内包物の取り出し可能な最小の幅よりも小さくする必要がある。同じ開封領域（取り出し口）に配置されたアンテナ１２同士の隙間についても同様である。このように、アンテナ１２の形状・配置・幅・素材等を選択することによって、破損した場合と内包物の取り出しを区別できるようにする。【００２６】
なお、実際には、アンテナ１２は、図１の（ａ）の上段のように、電気的に１本のアンテナで全ての内包物を網羅するように配置する場合に限らない。例えば、図１の（ａ）の下段のように、独立した個々のアンテナ１２が内包物毎に１対１で対応するように配置されていても良い。この場合、独立した個々のアンテナ１２は、それぞれ異なる周波数に対応する。【００２７】
図２に、アンテナ１２の形状の第１の例を示す。
ここでは、内包物が、丸薬やカプセルのような固形物である場合について説明する。
内包物等の取り出しを確認するためには、内包物を梱包しているカバーの破砕が意図的であることを検知する必要がある。内包物の大きさや形状に相応のアンテナ１２の形状やアンテナ１２の配線の幅（範囲）を詳細に設定することによって、意図しないカバーの破砕を防止し、カバーが破砕された場合は、故意によるカバーの破砕であると判断可能にする。実際には、（ａ）に示すように、アンテナ１２を含めた取り出し口の長さ「Ａ」がＰＴＰに内封されている内包物の短径側の直径「Ｂ」より短くなるようにアンテナ１２が配置されている。また、（ｂ）に示すように、複数の薬剤が内封できる薬袋の場合は、薬袋を封するための「のりしろ」の内側にアンテナ１２を配置して、最も小さい薬剤を対象とする。この場合、最も小さい薬剤の短径側の直径「Ｂ」に対して、のりしろの内側に、のりしろに沿って、のりしろから長さ「Ａ」以内の範囲にアンテナ１２を配置する。すなわち、Ａ＜Ｂとなるようにアンテナ１２を配置する。【００２８】
図３に、アンテナ１２の形状の第２の例を示す。
ここでは、内包物が、粉末や液体、粘性体、又は香水や芳香剤のように匂いを持つ気体を含むもの等である場合について説明する。この場合、これらのものを梱包した薬袋がわずかでも開封されれば内包物が取り出された可能性があるため、のりしろ内の内側近傍にアンテナ１２を配置する。例えば、アンテナ１２は、のりしろと内側の境界上、又は、境界に沿って配置されることが好適である。【００２９】
図４に、アンテナ１２の形状の第３の例を示す。
破砕されたアンテナ１２が再接合すると、破砕前の状態と電気的に同じ状態になるため、アンテナ１２が破砕されなかったと誤認される可能性がある。そこで、破砕されたアンテナ１２が再接合することを防止するため、取り出し口に沿ってミシン目を入れる。或いは、取り出し口を覆うもの（カバー）を蓋のような硬質なものとして、蓋全体が梱包容器から剥離し、復元不可能な仕組みにする。この場合、蓋はアンテナ１２と密着し、開封時にアンテナ１２を引き剥がす。又は、開封時に蓋とアンテナ１２が同時に破砕されるような仕組みにしても良い。このとき、開封時にアンテナ１２の一部が欠損するようにすることが好適である。【００３０】
また、内包物管理デバイス１０（梱包容器）において、梱包された薬剤や食品とは別に、破断することで患者の服用拒否を示すためのアンテナを設けるようにしても良い。例えば、薬剤を梱包しないダミーの梱包領域を設け、ダミーの梱包領域に配置されたアンテナが破断していれば、患者が服用を拒否していると判断するようにする。これにより、患者側の意思の伝達がより的確になる。【００３１】
このように、複数の薬品や食品が１つに梱包されている場合、各梱包毎にＲＦ−ＩＤのアンテナ又は電気回路等を配置することで、１つのＲＦ−ＩＤで複数の内包物の取り出し状態を管理できる。アンテナの場合、形状・配置・幅・素材等を選択することによって、破損した場合と内包物の取り出しを区別できる。【００３２】
例えば、薬品や食品といった内包物の取り出しによって１つのアンテナが切断された場合、その切断後のアンテナの有効長に設定された周波数の電波の送受信によって、取り出された内包物の箇所を特定する。【００３３】
更に、アンテナの形状・配置・幅・素材等を選択することによって、アンテナを内包物管理デバイス１０（梱包容器）の模様や装飾のように配置することも可能になる。例えば、アンテナをキャラクターの図柄や企業のロゴを模した形状で配置することが考えられる。【００３４】
次に、内包物管理デバイス１０を用いた内包物管理システムについて説明する。
図５に示すように、本発明に係る内包物管理システムは、内包物管理デバイス１０と、読み取り装置２０と、センターサーバ３０を含む。内包物管理デバイス１０については、先に説明した通りである。【００３５】
読み取り装置２０は、電波を発信して、電磁誘導（非接触電力伝送）により内包物管理デバイス１０上の無線タグ１１を起電する。また、読み取り装置２０は、無線タグ１１と電波を受発信して情報を送受信する。例えば、読み取り装置２０は、切断されたアンテナ１２の有効長によって内包物の取り出された箇所を特定する場合、有効長に設定された周波数の電波を送受信する。有効長と周波数は関連付けられているものとする。このとき、当該無線タグ１１が、アンテナ１２の切断後の有効波長情報を保持することで、他のＩＤタグが混在した状態でも、１つの読み取り装置２０によって読み書き対応が可能となる。すなわち、読み取り装置２０は、無線タグ１１と、有効長に応じた周波数の電波を送受信する。読み取り装置２０は、有効長又は周波数により、無線タグ１１を識別できる。ここでは、読み取り装置２０として、ＲＦ−ＩＤリーダー／ライターを想定している。【００３６】
センターサーバ３０は、ネットワーク等を介して読み取り装置２０と通信し、読み取り装置２０から提供された情報を一括して管理する。【００３７】
次に、アンテナ１２の破断による内包物の取り出しに関する情報以外に、内包物管理デバイス１０上の無線タグ１１と読み取り装置２０の間でやり取りされる情報の例について、以下に詳述する。無線タグ１１と読み取り装置２０は、以下の（１）〜（１１）に示す情報のうち少なくとも一つの情報をやり取りする。無線タグ１１の記憶容量の許容量に応じてやり取りできる情報量は限られるが、無線タグ１１の記憶容量に余裕があれば、全ての情報をやり取りするようにしても良い。【００３８】
（１）＜品名、品番、製造年月日、使用期限、製造ロット、個別ＩＤ等の医薬品情報＞
内包物管理デバイス１０に梱包された内包物（例えば、医薬品）の品名、品番、製造年月日、使用期限、製造ロット、個別ＩＤ等を示す情報である。これらの情報に基づいて、利用者に使用される内包物（例えば、患者に服用される医薬品）の種類を把握したり、使用期限を管理したりすることが可能になる。【００３９】
（２）＜患者ＩＤやカルテ番号等の患者情報＞
内包物管理デバイス１０に梱包された内包物（例えば、医薬品）を使用する利用者（例えば、患者）を示す識別情報や、利用者の個人情報である。これらの情報に基づいて、どの利用者が内包物を使用したかを把握したり、当該利用者による内包物の使用結果を管理したりすることが可能になる。【００４０】
（３）＜病院ＩＤ、医師ＩＤ、薬剤師ＩＤ等の製造者情報＞
内包物管理デバイス１０、或いは内包物管理デバイス１０に梱包された内包物の製造元や提供者を示す識別情報である。これらの情報に基づいて、内包物管理デバイス１０や内包物が誰によって製造／提供されたものであるか管理することが可能になる。【００４１】
（４）＜患者の病名、治療法等の疾患情報＞
内包物管理デバイス１０に梱包された内包物（例えば、医薬品）を使用する利用者（例えば、患者）が、内包物を使用する理由を示す情報である。これらの情報に基づいて、利用者が内包物を使用することが適当かどうか判断することが可能になる。また、内包物をどのように使用すれば良いか指摘することが可能になる。【００４２】
（５）＜過去の服薬履歴＞
内包物管理デバイス１０に梱包された内包物（例えば、医薬品）を使用する利用者（例えば、患者）の、内包物の使用履歴を示す情報である。これらの情報に基づいて、利用者が内包物を使用した回数や使用結果（効果）を把握し、利用者がこの先も内包物を使用することが適当かどうか判断することが可能になる。【００４３】
（６）＜過去の病気や通院、入院の履歴＞
内包物管理デバイス１０に梱包された内包物（例えば、医薬品）を使用する利用者（例えば、患者）の状況や、内包物の使用に際しての前提条件を示す情報である。これらの情報に基づいて、利用者が内包物を使用することを制限したり、適切な使用方法を提示したりすることが可能になる。【００４４】
（７）＜用法や副作用等の医薬品の服用方法に関する情報＞
内包物管理デバイス１０に梱包された内包物（例えば、医薬品）を使用する利用者（例えば、患者）や他の利用者が、内包物を使用したことによる副次的な効果や影響、又はその発生の可能性を示す情報である。これらの情報に基づいて、利用者が内包物を使用することによる不利益を回避することが可能になる。【００４５】
（８）＜服用が必要であるかを判定可能な測定機器に対する情報や出力データ＞
内包物管理デバイス１０に接近又は接触することにより、内包物管理デバイス１０に梱包された内包物（例えば、医薬品）を検出する測定機器（例えば、血圧計や血糖値測定器）に対して提供する情報や出力データである。これらの情報に基づいて、測定機器が内包物管理デバイス１０に接近又は接触した際に、利用者（例えば、患者）がその内包物（例えば、医薬品）を使用する必要があるかどうかを判定することが可能になる。【００４６】
（９）＜保管場所からの持ち出し記録、薬箱、患者自宅への持込記録＞
内包物管理デバイス１０に梱包された内包物（例えば、医薬品）を所定の場所から持ち出した旨や、所定の場所に持ち込んだ旨を示す情報である。このとき、読み取り装置２０は、所定の場所の入退場ゲート（出入り口）の近傍や、内包物の設置場所の近傍に設置されることが好適である。これらの情報に基づいて、内包物管理デバイス１０に梱包された内包物の移動状況や保管状況を管理することが可能になる。【００４７】
（１０）＜特定の服用補助装置、測定機器への設置記録＞
内包物管理デバイス１０に接近又は接触することにより、内包物管理デバイス１０に梱包された内包物（例えば、医薬品）を取得したり検出したりする服用補助装置（例えば、吸入装置、注射器、点滴）や測定機器が、内包物を取得したり検出したりした履歴を示す情報である。これらの情報に基づいて、どの服用補助装置や測定機器が、何回、内包物を取得したり検出したりしたかを把握することが可能になる。【００４８】
（１１）＜偽薬を防止するための電子証明書＞
内包物管理デバイス１０に梱包された内包物（例えば、医薬品）が、正規の（純正の）内包物であることを示す電子証明書、又は、電子証明書に類する情報である。これらの情報に基づいて、内包物管理デバイス１０に梱包された内包物が、品質の保証された正しい内包物であることを確認することが可能になる。【００４９】
なお、読み取り装置２０は、上記の情報をセンターサーバ３０に送信する。このとき、患者が梱包された薬剤や食品の服用を拒否している場合、読み取り装置２０は、患者が服用を拒否している旨や、拒否している理由、又はコメントといった情報の入力を受け付け、上記の情報と共にセンターサーバ３０に送信するようにしても良い。【００５０】
読み取り装置２０の例として、以下のようなものを想定する。但し、実際には、これらの例に限定されない。ここでは、家庭内の場合と、病院／薬局の場合とに分けて説明する。【００５１】
家庭内の場合、読み取り装置２０の例として、以下のようなものが考えられる。
（１）周辺機器としてパソコンに接続された読み取り装置
（２）無線タグを読み取り可能なハンディターミナルや携帯電話機
（３）部屋のドア周辺／天井／テーブルに取り付けられた読み取り装置
（４）梱包容器を格納しておくための薬箱／冷蔵庫に取り付けられた読み取り装置
（５）梱包容器を載せるための盆／トレイに取り付けられた読み取り装置
（６）固定電話の受話器／本体に取り付けられた読み取り装置【００５２】
病院／薬局の場合、読み取り装置２０の例として、以下のようなものが考えられる。
（１）注射器、吸入器、点滴等の服用を補助する装置や機器
（２）血圧計や血糖値測定器等、健康状態や服薬の指標を表示する装置や機器
（３）自動的に薬袋等を作成する自動分封器
（４）薬局での処方確認端末
（５）病院、薬局、家庭等での病歴、薬歴管理端末
（６）病院や薬局等の会計端末、入退場管理装置
（７）医薬品製造機や梱包装置
（８）医薬品の品質管理用機器、測定器、又は端末【００５３】
なお、装置や機器の操作に不慣れな利用者の存在を考慮すると、利用者が通過／停止する可能性が高い場所や、利用者が利用する可能性が高い道具に、読み取り装置を搭載したり、回路やプログラム等による読み取り機能を追加したりすることが好適である。また、読み取りのための特別な操作を必要とせず、自然な（通常の）動作で読み取り可能にすることも好適である。【００５４】
このとき、読み取り装置２０は、電波送受信部２１と、処理部２２と、記憶部２３と、通信部２４を備える。
電波送受信部２１は、電波を発信して、電磁誘導（非接触電力伝送）により内包物管理デバイス１０上の無線タグ１１を起電する。また、電波送受信部２１は、無線タグ１１と電波を受発信して情報を送受信する。ここでは、電波送受信部２１は、リーダー／ライター用アンテナであるものとする。但し、実際には、電波送受信部２１はリーダー／ライター用アンテナに限定されない。処理部２２は、電波送受信部２１を介して無線タグ１１から情報を取得する。このとき、処理部２２は、タイマー機能により、情報を取得した日時を記録するようにしても良い。これにより、薬剤が取り出された日時をある程度まで把握することが可能になる。記憶部２３は、無線タグ１１から取得した情報をまとめて蓄積する。通信部２４は、記憶部２３に蓄積された情報をセンターサーバ３０に送信する。【００５５】
ここで、読み取り装置２０に干渉防止機能が備わっている場合について説明する。
この場合、ダイバーシティー等の機能によって高感度に電波の授受を行うことができる。ダイバーシティーとは、複数のアンテナで受信した同一の無線信号について、電波状況の優れたアンテナの信号を優先的に用いる技術である。例えば、設置角度の異なる２つ以上のリーダー／ライター用アンテナを配置することで、梱包容器の配置によって生じるアンテナ向きの変化による読み取り劣化を抑える。【００５６】
また、内包物管理デバイス１０をリーダー／ライター用アンテナ上に置いて保管したり、積層ＲＦ−ＩＤアンテナを用いたりして、周期的に、読み取り装置２０が無線タグ１１を検知するようにする。読み取り装置２０は、所定の時間又は回数、無線タグ１１を検知できない場合、内包物管理デバイス１０が取り出されたと判断する。逆に、読み取り装置２０は、無線タグ１１を検知できない状態から、所定の時間又は回数、無線タグ１１を検知した場合、内包物管理デバイス１０が復帰したと判断する。【００５７】
或いは、リーダー／ライター用アンテナを複数の箇所に配置することで、読み取り装置２０が、内包物管理デバイス１０の移動を検出するようにする。例えば、リーダー／ライター用アンテナを保管する薬箱の入口と底にリーダー／ライター用アンテナを配置する。すなわち、この薬箱が、読み取り装置２０となる。読み取り装置２０は、各々のリーダー／ライター用アンテナが無線タグ１１を読み取った時間を参照して、内包物管理デバイス１０の取り出し又は復帰を判断する。【００５８】
なお、読み取り装置２０が、箱や戸棚、部屋等に設置されている場合、蓋や扉の開閉を検出する機能又は装置と連携するようにしておき、蓋や扉の開閉がある場合のみ、内包物管理デバイス１０の取り出し又は復帰を検出するようにしても良い。蓋や扉の開閉がなければ、内包物管理デバイス１０の取り出し又は復帰はあり得ないと考えられるためである。【００５９】
図６を参照して、本発明に係る内包物管理システムにおいて、内包物の利用状態を管理する場合の動作について説明する。
（１）ステップＳ１０１
読み取り装置２０は、内包物管理デバイス１０（梱包容器）の取り出しを検出する。すなわち、内包物管理デバイス１０（梱包容器）の移動を検出する。内包物管理デバイス１０（梱包容器）を取り出す際、内包物管理デバイス１０（梱包容器）と読み取り装置２０が接近又は接触することで、内包物管理デバイス１０（梱包容器）の取り出しを検出する。或いは、読み取り装置２０が周期的に内包物管理デバイス１０（梱包容器）の無線タグ１１を検出するようにしておき、ある時点から無線タグ１１を検出できなくなったら、その時点から内包物管理デバイス１０（梱包容器）が移動したと判断するようにしても良い。
（２）ステップＳ１０２
読み取り装置２０は、内包物管理デバイス１０（梱包容器）の復帰を検出する。すなわち、内包物管理デバイス１０（梱包容器）の格納を検出する。内包物管理デバイス１０（梱包容器）を復帰する際、内包物管理デバイス１０（梱包容器）と読み取り装置２０が接近又は接触することで、内包物管理デバイス１０（梱包容器）の復帰を検出する。或いは、読み取り装置２０が周期的に内包物管理デバイス１０（梱包容器）の無線タグ１１を探知するようにしておき、ある時点から無線タグ１１が検出可能になれば、その時点から内包物管理デバイス１０（梱包容器）が復帰したと判断するようにしても良い。この場合、読み取り装置２０は、無線タグ１１が検出可能になってから一定時間又は一定回数、無線タグ１１を検出した時点で、内包物管理デバイス１０（梱包容器）が復帰したと判断する。
（３）ステップＳ１０３
読み取り装置２０は、内包物管理デバイス１０（梱包容器）の復帰を検出した場合、内包物管理デバイス１０（梱包容器）の無線タグ１１と通信し、アンテナ１２の破断を始めとする無線タグ１１に格納された情報を取得し、内包物管理デバイス１０（梱包容器）に梱包された内包物全てに関する所在を検出する。すなわち、読み取り装置２０は、どの位置の内包物が使用されたか、また、いくつ使用されたかを検出する。
（４）ステップＳ１０４
読み取り装置２０は、内包物管理デバイス１０（梱包容器）に梱包された内包物の利用量を記録する。このとき、読み取り装置２０は、メモリーカードのような記憶媒体（メディア）や外部記憶装置に情報を保存するようにしても良い。
（５）ステップＳ１０５
読み取り装置２０は、内包物の利用状態を始めとする情報を、ネットワークを経由してセンターサーバ３０へ転送する。或いは、読み取り装置２０は、内包物の利用状態を始めとする情報を記録したメモリーカードのような記憶媒体や外部記憶装置をセンターサーバ３０に直結することで、データ移行するようにしても良い。【００６０】
また、図７を参照して、内包物の利用を支援する場合の動作について説明する。
（１）ステップＳ２０１
読み取り装置２０は、内包物管理デバイス１０（梱包容器）の無線タグ１１から、利用すべき時間情報を取得する。なお、読み取り装置２０は、利用すべき時間情報として、内包物管理デバイス１０（梱包容器）や内包物の個別ＩＤに基づいて、読み取り装置２０内で管理している、個々の内包物管理デバイス１０（梱包容器）や内包物に応じた利用すべき時間情報を検索するようにしても良い。
（２）ステップＳ２０２
読み取り装置２０は、利用すべき時間情報と現在時刻とを照合する。このとき、読み取り装置２０は、利用すべき時間情報と現在時刻が一致する場合に限らず、現在時刻が、利用すべき時間情報に示された時間より所定時間前（例えば、５分前）になったか確認するようにしても良い。
（３）ステップＳ２０３
読み取り装置２０は、利用時間前に利用者（例えば、患者）に警告を通知する。すなわち、読み取り装置２０は、現在時刻が、利用すべき時間情報に示された時間より少し前（例えば、５分前）であれば、警告音を発したり、警告の画面を表示したりする。或いは、読み取り装置２０は、現在時刻と一致するまで、次に内包物を利用すべき時間（例えば、前回の取り出し時間から６時間後）を画面に表示し続ける。【００６１】
また、図８を参照して、次回利用数の算定を行う場合の動作について説明する。なお、ここでいう次回には、直後に限らず次回以降（将来）も含む。すなわち、次回利用数とは、将来利用すべき数量を示す。
（１）ステップＳ３０１
センターサーバ３０は、読み取り装置２０を介して、内包物管理デバイス１０（梱包容器）の無線タグ１１から、内包物をいくつ利用したかを示す利用数情報を取得する。
（２）ステップＳ３０２
センターサーバ３０は、利用数情報を集計した利用履歴情報を作成し、利用履歴情報に基づいて、将来利用すべき数量を、残り数量により算定する。或いは、センターサーバ３０は、利用履歴情報が正常な利用に基づく利用数を示しているか確認し、正常な利用に基づく利用数でない場合、正常な利用に基づく好適な利用数を次回利用数とする。例えば、センターサーバ３０は、患者に提供した１４日分の医薬品を、患者が１０日分しか服用していなかった場合、残りの４日分の使用期限がまだ先であれば、将来、提供する必要のある医薬品の数からこの４日分を差し引いた数を次回利用数とする。すなわち、センターサーバ３０は、将来、７日分の医薬品を提供する必要があるとしたら、この４日分を差し引いて、３日分の医薬品を提供する必要があるものとする。
（３）ステップＳ３０３
センターサーバ３０は、内包物管理デバイス１０（梱包容器）に内包物を梱包する梱包装置と連動している場合、この梱包装置は、内包物管理デバイス１０（梱包容器）に、次回利用数に応じた個数の内包物を梱包する。【００６２】
ここでは、センターサーバ３０が、次回利用数の算定を行う場合の動作を行っているが、実際には、読み取り装置２０が、これらの動作を行うようにしても良い。【００６３】
本発明では、更に、電子カルテ等の医療や健康管理向け情報システムとの連携が考えられる。例えば、ＲＦ−ＩＤリーダー／ライターにおいて患者が使用した医薬品とＲＦ−ＩＤから得られた情報が正しいかどうかを確認操作できる端末を用いることが可能である。【００６４】
次に、本発明に係る内包物管理システムの例として、以下の（１）〜（１０）に示すシステムやサービスを想定する。但し、実際には、これらの例に限定されない。【００６５】
（１）服薬管理システム
服薬管理システムでは、梱包容器を格納しておく薬箱が、ＲＦ−ＩＤリーダー／ライター機能を有する。この薬箱が、常時、薬物の使用状態を監視し、薬物の使用状態等の服薬情報を、ネットワークや、メモリーカード等の記憶媒体を介して、通院中の病院やセンターサーバに通知する。医師は、通知された服薬情報を基に、将来の処方内容を検討する。無駄な再処方、過度の処方を低減する。【００６６】
（２）治療支援システム、診断支援システム
治療支援システム、診断支援システムでは、血圧値を測定する血圧計が、ＲＦ−ＩＤリーダー／ライター機能を有する。この血圧計が、測定された服用前後の血圧値を、薬物の使用状態等の服薬情報と共に、ネットワークや、メモリーカード等の記憶媒体を介して、通院中の病院やセンターサーバに通知する。医師は、通知された服薬情報と測定結果を基に、将来の投薬計画や治療計画を立案したり、同じ疾患の患者への治療や診断を支援したりする。【００６７】
（３）処方箋管理システム
処方箋管理システムは、電子化された処方箋情報に基づき、適切な処方が行われたかを確認する。例えば、処方箋管理システムは、リーダー／ライター機能を有するＰＯＳシステム（Ｐｏｉｎｔ  Ｏｆ  Ｓａｌｅｓ  ｓｙｓｔｅｍ）や端末等によって処方箋との照合を行う。【００６８】
（４）治療、投薬、健康管理システム
治療、投薬、健康管理システムは、電子カルテ等と連携して患者の病歴、入院履歴、通院履歴と関連付けて投薬された情報を保存する。治療、投薬、健康管理システムは、患者個人に関する服用時の効能や副作用を併せて記録する。また、治療、投薬、健康管理システムは、他の医薬品、食品との相互作用や服用時の健康状態を記録する。これにより、治療、投薬、健康管理システムは、患者個人毎に精密な健康状態を永年に渡り記録する。【００６９】
（５）医薬品製造、品質管理システム
医薬品製造、品質管理システムでは、医薬品製造に関する確認作業や品質管理用として、ルーティン作業内にリーダー／ライター機能を持つ端末を設置する。この医薬品製造、品質管理システムは、その端末から出力されるデータをサーバ内に保存し品質の確認を支援する。【００７０】
（６）在庫、流通管理システム
在庫、流通管理システムは、製薬メーカーからの搬出時や病院、薬局への搬入時にまとめて流通量を管理する。また、医薬品製造、品質管理システムは、薬局での在庫量を的確に管理して在庫の調整を行ったり、インターネット等を介して、他の薬局との在庫連携を可能とする。【００７１】
（７）会計連携システム
会計連携システムは、病院や薬局の会計の際に、リーダー／ライター機能を有するＰＯＳシステムや端末等によって処方箋との照合を行う。【００７２】
（８）入退場連携システム
入退場連携システムは、病院や薬局の出入り口にゲートや大型アンテナを設置して、薬品を所持した患者の入退場を管理する。【００７３】
（９）副作用情報管理システム
副作用情報管理システムは、副作用情報センターと連動して、速やかな副作用情報の伝達を可能とする。【００７４】
（１０）治験情報管理システム
治験情報管理システムは、治験システムと連携して、服薬情報に関する情報の精度を向上する。【００７５】
次に、図９を参照して、本発明に係る内包物管理システムにおけるデータの流れについて説明する。
まず、センターサーバ３０は、管理端末にデータを送信する。管理端末は、センターサーバ３０に接続された通信端末であり、医師、作業管理者、内包物の使用者等が使用する。センターサーバ３０から管理端末に送信されるデータとしては、「使用者名」「対象物使用履歴」「類似物使用履歴」「使用効果履歴」「既往歴」「遺伝情報」「検査結果履歴」等が考えられる。「使用者名」は、内包物を使用する使用者の識別情報である。「対象物使用履歴」は、内包物の使用履歴情報である。「類似物使用履歴」は、内包物の類似物の使用履歴情報である。例えば、医薬品の場合、名称や製造元が異なっても成分が同じ医薬品が存在する。類似物は、内包物と成分や構成要素が同じ又は類似する物品（例えば、医薬品）を示す。「使用効果履歴」は、内包物又は類似物を使用した際の効果（例えば、薬効）の履歴情報である。「既往歴」は、使用者がこれまでに罹患した疾病に関する情報である。例えば、「既往歴」は、内包物の使用許否や使用回数、使用効果に影響する情報である。「遺伝情報」は、使用者の遺伝情報である。近親者の疾病に関する情報や、遺伝子治療に用いられる遺伝子情報等を示す。「検査結果履歴」は、内包物の提供に先立って行われた検査の結果を示す履歴情報である。なお、検査は、内包物に対して行われた検査や、使用者自身に対して行われた検査に限らない。使用者の所有物に対して内包物を使用する場合は、使用者の所有物に対して行われた検査を含む。【００７６】
管理端末は、センターサーバ３０にデータを送信する。管理端末からセンターサーバ３０に送信されるデータとしては、「物品名称」「容量」「使用方法」「使用日時」「使用制限期間」等が考えられる。「物品名称」は、内包物の識別情報である。「容量」は、使用者に提供される内包物の個数情報である。「使用方法」は、内包物の使用方法を示す情報である。「使用日時」は、内包物を使用するのに好適な時期を示す情報である。「使用制限期間」は、内包物を使用するのに不都合な期間や、使用期限を示す情報である。【００７７】
センターサーバ３０は、読み取り装置２０にデータを送信する。ここでは、読み取り装置２０は、ＲＦ−ＩＤリーダー／ライターとしている。センターサーバ３０から読み取り装置２０に送信されるデータとしては、「物品ＩＤ」「物品形状」「使用者情報」「使用者ＩＤ」「容量」「使用方法」「使用日時」「使用制限期間」等が考えられる。「物品ＩＤ」は、内包物の識別番号であり、「物品名称」に対応する情報である。「物品形状」は、内包物の形状やサイズを示す情報である。「使用者情報」は、使用者に関する情報である。センターサーバ３０から使用者毎に個別に通知される情報を含む。「使用者ＩＤ」は、使用者の識別番号であり、「使用者名」に対応する情報である。センターサーバ３０から読み取り装置２０へのデータ送信は、施設の外部（例えば、病院外）へのデータ送信であると考えられるため、「物品ＩＤ」や「使用者ＩＤ」を使用して具体的な物品名や使用者名を隠蔽して匿名化することで、プライバシーの侵害や個人情報の漏洩を防止する。その他の情報については、先に説明した通りである。【００７８】
読み取り装置２０は、使用者にデータを提供する。例えば、読み取り装置２０がデータを表示することで使用者にデータを通知する。或いは、使用者が使用する通信端末にデータを送信する。読み取り装置２０から使用者に提供されるデータとしては、「使用者情報」「容量」「使用方法」「使用日時」「使用制限期間」等が考えられる。これらの情報については、先に説明した通りである。【００７９】
使用者は、読み取り装置２０にデータを提供する。ここでは、読み取り装置２０が無線タグ１１を読み取る。また、読み取り装置２０は、使用者の操作に応じてデータを取得することも可能である。例えば、使用者が読み取り装置２０に直接データを入力してデータを通知する。或いは、使用者が使用する通信端末から読み取り装置２０にデータを送信する。使用者から読み取り装置２０に提供されるデータとしては、「持ち出し」「取り出し」「廃棄」「紛失」等が考えられる。「持ち出し」は、梱包容器の移動を示す情報である。「取り出し」は、梱包容器から内包物が取り出されたことを示す情報である。すなわち、内包物の使用情報を示す。取り出された内包物の位置情報や識別情報を含む。「廃棄」は、梱包容器又は内包物を廃棄した旨を示す情報である。「紛失」は、梱包容器又は内包物を紛失した旨を示す情報である。「廃棄」「紛失」を記録することで、使用者が内包物を適切に使用したか否かを判定できるようになる。すなわち、「内包物の消費量＝実際の使用量」とせず、内包物の消費量のうちから実際の使用量を正確に把握することが可能になる。【００８０】
読み取り装置２０は、センターサーバ３０にデータを送信する。読み取り装置２０からセンターサーバ３０に送信されるデータとしては、「持ち出し履歴」「取り出し履歴」「廃棄記録」「紛失記録」「物品ＩＤ」「使用者ＩＤ」等が考えられる。「持ち出し履歴」は、「持ち出し」に基づく、一定期間内の梱包容器の移動に関する履歴情報である。「取り出し履歴」は、「取り出し」に基づく、一定期間内の内包物の取り出しに関する履歴情報である。「廃棄記録」は、「廃棄」に基づく、一定期間内の梱包容器又は内包物の廃棄に関する履歴情報である。「紛失記録」は、「紛失」に基づく、一定期間内の梱包容器又は内包物の紛失に関する履歴情報である。「物品ＩＤ」は、ここでは、「取り出し」「廃棄」「紛失」のいずれかに該当する、又は、いずれにも該当しない内包物を示す識別番号である。すなわち、使用者により使用された、又は、使用されていない内包物の識別番号を示す。「使用者ＩＤ」は、使用者の識別番号である。読み取り装置２０からセンターサーバ３０へのデータ送信は、外部へのデータ送信であると考えられるため、「物品ＩＤ」や「使用者ＩＤ」を使用して具体的な物品名や使用者名を隠蔽して匿名化することで、プライバシーの侵害や個人情報の漏洩を防止する。これらの情報は、送信されるたびに初期化されるようにしても良い。また、読み取り装置２０は、記録された「容量」と、「取り出し」「廃棄」「紛失」に基づき、「残量」を算出して、使用者に提供したり、センターサーバ３０に送信したりするようにしても良い。「残量」は、未使用の内包物の個数情報である。【００８１】
センターサーバ３０は、管理端末にデータを送信する。センターサーバ３０から管理端末に送信されるデータとしては、「使用履歴」「残量」「物品名称」「使用者名」等が考えられる。「使用履歴」は、どの使用者がどの内包物をいくつ使用したかを示す履歴情報である。使用時間を含むようにしても良い。「残量」は、特定の使用者の未使用の内包物の個数情報である。センターサーバ３０は、記録された「容量」と、「取り出し履歴」「廃棄記録」「紛失記録」「使用者ＩＤ」に基づいて、「残量」を算出する。但し、実際には、センターサーバ３０は、読み取り装置２０から「残量」を受信しても良い。その他の情報については、先に説明した通りである。【００８２】
管理端末は、センターサーバ３０にデータを送信する。管理端末からセンターサーバ３０に送信されるデータとしては、「使用結果」「診察結果」「検査結果」等が考えられる。このとき、管理端末は、システムやサービスの内容に応じて、センターサーバ３０に必要な情報を提供する。「使用結果」は、内包物の使用による効果や副作用等の結果を示す情報である。「診察結果」は、内包物の使用後に行われた診察の結果を示す情報である。「検査結果」は、内包物や使用者に対する検査の結果を示す情報である。センターサーバ３０は、これらの情報を、使用者への次回以降の内包物の提供に反映する。【００８３】
次に、本発明の第２実施形態について説明する。
本発明の第２実施形態では、アンテナ１２の代わりに、二次元バーコードを使用する。二次元バーコードは読み取り装置によって個別に認識され、破損／消失（除去）すると読み取ることが不可能になる。この点を利用し、アンテナ１２の代わりに二次元バーコードを梱包容器の開封領域（取り出し口）に個々に配置する。開封領域（取り出し口）と二次元バーコードは、１対１で対応している。特定の開封領域（取り出し口）の二次元バーコードが破損／消失していれば、その箇所の内包物が取り出されたことを示す。すなわち、本実施形態は、「内包物管理デバイス１０（梱包容器）の表面に配置された部材の欠損により、内包物の取り出しを検出する」という点で、第１実施形態と共通する。【００８４】
図１０に示すように、本実施形態では、内包物管理デバイス１０（梱包容器）は、二次元バーコード１３を備える。【００８５】
二次元バーコード１３は、一次元バーコードが水平方向にしか持たなかった情報を、水平と垂直方向の二次元方向に情報を持つバーコードである。ここでは、二次元バーコード１３は、アンテナ１２の代わりに、内包物管理デバイス１０（梱包容器）の開封領域（取り出し口）に配置されている。例えば、内包物管理デバイス１０（梱包容器）のカバー又は蓋に二次元バーコード１３を表示すれば、開封時に二次元バーコード１３が破損／消失することになる。すなわち、二次元バーコード１３がアンテナ１２の役割を果たす。二次元バーコードの例として、ＱＲコード（登録商標）がある。なお、内包物管理デバイス１０が粉末等を梱包する薬袋である場合、薬袋の「のりしろ」に二次元バーコード１３を表示することや、薬袋の表面全体に二次元バーコード１３を表示することが考えられる。但し、実際には、上記の例に限定されるものではなく、内包物管理デバイス１０（梱包容器）の開封時に二次元バーコード１３が破損／消失するように表示すれば良い。二次元バーコード１３は、自身が情報を持つため、第１実施形態における無線タグ１１とアンテナ１２を兼ねたものと考えることもできる。【００８６】
また、読み取り装置２０は、更に、バーコード読み取り部２５を備える。【００８７】
バーコード読み取り部２５は、二次元バーコード１３を読み取り、読み取った二次元バーコード１３の画像を処理部２２に通知する。処理部２２は、二次元バーコード１３の画像をデコード（解読）して取得した情報を記憶部２３に記憶する。ここでは、二次元バーコード１３から取得した情報を最初に記憶するのは記憶部２３であるため、記憶部２３が、第１実施形態における無線タグ１１に該当すると考えることもできる。【００８８】
二次元バーコード１３に含まれる情報として、内包物の識別情報（個別ＩＤ）、センターサーバ３０が提供するホームページのＵＲＬ（データ所在情報）が考えられる。例えば、読み取り装置２０は、二次元バーコード１３を読み取った際に、破損／消失していない二次元バーコード１３に対応するＵＲＬに基づいて、センターサーバ３０にアクセスし、破損／消失していない二次元バーコード１３に対応する個別ＩＤを提供する。或いは、読み取り装置２０は、二次元バーコード１３を読み取った際に、二次元バーコード１３の画像をデコードして取得した個別ＩＤやＵＲＬを記憶する。その後、二次元バーコード１３のいずれかが破損／消失して読み取れなくなった時、記憶されたＵＲＬのうち破損／消失した二次元バーコード１３に対応するＵＲＬに基づいて、センターサーバ３０にアクセスし、破損／消失した二次元バーコード１３に対応する個別ＩＤを提供する。このとき、個別ＩＤとＵＲＬを組み合わせた個別ＩＤ付きＵＲＬに基づいて、センターサーバ３０にアクセスするようにすることも可能である。なお、ＵＲＬの代わりに、センターサーバ３０のＩＰアドレスでも良い。また、個別ＩＤではなく、破損／消失した二次元バーコード１３の数を把握するようにしても良い。内包物管理デバイス１０（梱包容器）上に配置された二次元バーコード１３の最大数と、読み取れなくなった二次元バーコード１３の数から、破損／消失した二次元バーコード１３の数を把握することは可能である。【００８９】
ここでは、二次元バーコード１３が破損／消失することで、内包物の取り出しを検出するようにしているが、逆に、内包物管理デバイス１０（梱包容器）の開封時に二次元バーコード１３が読み取れるようにし、二次元バーコード１３を読み取ることで内包物の取り出しを検出するようにすることも可能である。例えば、容器の底／内側に二次元バーコード１３を表示し、カバーや蓋、及び内包物が取り除かれると二次元バーコード１３が確認できるようにする。内包物は、固体、液体を問わない。梱包状態の時に二次元バーコード１３を隠すことができれば良い。【００９０】
なお、読み取り装置２０が無線タグと二次元バーコードを共に読み取ることができれば、本実施形態と他の実施形態を同時に実施することも可能である。【００９１】
次に、本発明の第３実施形態について説明する。
ここでは、内包物管理デバイス１０（梱包容器）に内包物を梱包する梱包装置について説明する。
本実施形態では、本発明に係る内包物管理システムは、更に、梱包装置４０を含む。【００９２】
梱包装置４０は、先に説明した内包物管理デバイス１０（梱包容器）を製造するための製造装置である。すなわち、内包物管理デバイス１０（梱包容器）に内包物を梱包し、無線タグとアンテナ、或いは二次元バーコードを配置する。梱包装置４０は、センターサーバ３０や、その他の装置と連携するようにすることも可能である。【００９３】
図１１に示すように、梱包装置４０は、入力通信部４１と、梱包部４２と、無線タグ設置部４３と、アンテナ設置部４４と、二次元バーコード設置部４５を備える。【００９４】
入力通信部４１は、入力装置から入力された情報や、センターサーバ３０等の他装置から受信した情報を取得する。情報を取得した場合、取得された情報に応じてアンテナ又は二次元バーコードが配置される。梱包部４２は、内包物管理デバイス１０（梱包容器）に内包物を梱包する。すなわち、カバーや蓋を配置する。無線タグ設置部４３は、内包物管理デバイス１０（梱包容器）に無線タグ１１を配置する。アンテナ設置部４４は、内包物管理デバイス１０（梱包容器）にアンテナ１２を配置する。二次元バーコード設置部４５は、内包物管理デバイス１０（梱包容器）に二次元バーコード１３を配置する。【００９５】
なお、アンテナ１２と二次元バーコード１３のいずれを配置するかについては、利用者に応じて選択するようにしても良い。例えば、利用者が使用可能な読み取り装置の種類に応じて、いずれかを選択する。この場合、利用者が使用可能な読み取り装置に関する情報を、利用者の個別ＩＤと関連付けて保管しておく。【００９６】
以上のように、本発明では、医薬品や食品を始めとする内包物の摂取／使用状態を取得するためのデバイス及びシステムを提供する。医薬品の服薬においては、病気治療を行ううえでどのような薬が投薬されたか管理しておく必要がある。しかし、今までの電子カルテシステムや医薬品トレースシステムでは、医薬品の投薬までは情報を記録することができたが、患者が実際に服用したかどうかは追跡、記録することが不可能であった。本発明では服用したかどうかは追跡、記録することを目的としたデバイス及びシステムを提供する。【００９７】
例えば、複数の薬品や食品が１つに梱包形態されている場合、各梱包毎にＲＦ−ＩＤのアンテナ又は電気回路等を配置することで、１つのＲＦ−ＩＤで複数の内包物の取り出し状態を管理する。アンテナの場合、形状・配置・幅・素材等を選択することによって、破損した場合と内包物の取り出しを区別できる仕組みを提供する。内包物の取り出しによって１つのアンテナが切断された場合、その切断後のアンテナの有効長に設定された周波数の電波の送受信によって、取り出された内包物の箇所を特定する。更に、取り出された内包物に関する情報を利用して、将来利用すべき数量を算出する。【００９８】
これまでの説明においては、内包物管理デバイス１０（梱包容器）に梱包される内包物として、薬品や食品を例に説明しているが、これらの例に限定されるものではない。実際には、内包物は、内包物管理デバイス１０（梱包容器）に梱包可能なものであれば良い。例えば、内包物は、化粧品や香水、洗剤、芳香剤や消臭剤、植物の種や実、土や砂、採取された検体や化学物質等の研究用の試料、ネジや電子部品、小型の玩具、組み立て用の部品、街頭／店頭で配布する商品サンプル等でも良い。また、内包物管理デバイス１０（梱包容器）は、真空状態で密封する必要のあるものについても梱包対象にすることができる。すなわち、内包物は、固体、液体、気体を問わない。
【図１】
2008117544.tif 000003
【図２】
2008117544.tif 000004
【図３】
2008117544.tif 000005
【図４】
2008117544.tif 000006
【図５】
2008117544.tif 000007
【図６】
2008117544.tif 000008
【図７】
2008117544.tif 000009
【図８】
2008117544.tif 000010
【図９】
2008117544.tif 000011
【図１０】
2008117544.tif 000012
【図１１】
2008117544.tif 000013
【国際調査報告】
2008117544.tif 000014
2008117544.tif 000015
2008117544.tif 000016
2008117544.tif 000017
2008117544.tif 000018
2008117544.tif 000019